(57)【要約】【課題】タービンのコンプレッサ仕事のみならずその他の仕事をも電動機の回生発電に用いるようにすることで、電動過給機に於ける電動機の最適な回生発電制御を行い得る電動過給機の制御装置を提供する。【解決手段】必要に応じてタービンにより電動機を駆動して発電を行うようにした電動過給機の制御装置に於いて、過給圧検出手段により検出された過給圧と、回転数検出手段により検出された電動過給機の回転数と、インマニ圧検出手段により検出されたインマニ圧と、タービン出力検出手段により検出されたタービン出力と、ウェストゲート開度検出手段により検出されたウェストゲート開度とのうち、少なくとも何れか一つに基づいて電動機の発電量を制御するようにした。【選択図】図２
2011080398.tif 000002
【特許請求の範囲】
【請求項１】
車両に搭載された内燃機関の排気通路内に設置され前記内燃機関の排気ガスにより駆動されるタービンホイールを有するタービンと、前記タービンホイールにシャフトを介して連結されたコンプレッサホイールが前記内燃機関の吸気通路内に設置されたコンプレッサと、前記シャフトに回転子が連結された電動機とを備え、前記タービンと前記電動機とのうちの少なくとも一方により前記コンプレッサを駆動して前記吸気通路内の吸気を圧縮して前記内燃機関への過給を行うと共に、必要に応じて前記タービンホイールにより前記電動機を駆動して発電を行うようにした電動過給機の制御装置であって、
前記コンプレッサにより圧縮された吸気が前記内燃機関へ過給される過給圧を検出する過給圧検出手段と、
前記電動過給機の回転数を検出する回転数検出手段と、
前記内燃機関のインテークマニホールド内の吸気圧力を検出するインマニ圧検出手段と、
前記タービンの出力を検出するタービン出力検出手段と、
前記タービンホイールを経由しないで前記排気ガスを流通させるバイパス通路を開閉するウェストゲートの開度を検出するウェストゲート開度検出手段と、
を備え、
前記過給圧検出手段により検出された過給圧と、前記回転数検出手段により検出された前記電動過給機の回転数と、前記インマニ圧検出手段により検出されたインマニ圧と、前記タービン出力検出手段により検出されたタービン出力と、前記ウェストゲート開度検出手段により検出されたウェストゲート開度とのうち、少なくとも何れか一つに基づいて前記電動機の発電量を制御することを特徴とする電動過給機の制御装置。
【請求項２】
前記電動機の発電量の制御は、前記タービン出力が所定値以下のときには前記発電を行わない非発電領域を含み、前記非発電領域は前記電動過給機の回転数に応じて可変であることを特徴とする請求項１に記載の電動過給機の制御装置。
【請求項３】
前記電動機の発電量の制御は、前記過給圧と前記インマニ圧との差圧に基づいて行なわれることを特徴とする請求項１又は２に記載の電動過給機の制御装置。
【請求項４】
前記電動機の発電量の制御は、前記発電量の上限量をもつことを特徴とする請求項１乃至３のうち何れか一項に記載の電動過給機の制御装置。
【請求項５】
前記車両は、前記電動機の発電により充電されるバッテリーから電力供給を受ける車載機器を備え、
前記電動機の発電量の制御は、前記バッテリーの充電状態と前記車載機器の消費電力とのうちの少なくとも一方を用いて行われることを特徴とする請求項１乃至４のうち何れか一項に記載の電動過給機の制御装置。
【請求項６】
前記車両は、前記バッテリーを充電し得る他の発電手段を備え、
前記電動機の発電量の制御は、前記他の発電手段の出力状態に応じて行なわれることを特徴とする請求項１乃至５のうち何れか一項に記載の電動過給機の制御装置。
【発明の詳細な説明】
【技術分野】
【０００１】
この発明は、車両に搭載された内燃機関の排気ガス若しくは電動機により駆動されて前記内燃機関への過給を行なう電動過給機の制御装置に関するものである。
【背景技術】
【０００２】
自動車等の車両の低燃費を実現することを目的として、内燃機関の出力を増加させるために内燃機関の吸気通路上に電動機で駆動し得る電動過給機を設ける技術が知られている。この電動過給機は、内燃機関の排気ガスにより駆動されるタービンホイールを備えたタービンと、タービンホイールにより駆動されて内燃機関の吸気通路内の吸気を圧縮して内燃機関への過給を行なうコンプレッサホイールを備えたコンプレッサと、コンプレッサホイールを必要に応じて駆動し得る電動機とを備える。通常、その電動機は、タービンホイールとコンプレッサホイールの共通軸上に配設される。
【０００３】
このような電動過給機に於いて、内燃機関に過給が必要なときに内燃機関の排気ガスが不足して所望の過給圧が得られない場合や内燃機関の低回転時には、電動機によりコンプレッサを駆動するように制御され、又、内燃機関の排気ガスが十分に存在する場合には、排気ガスにより駆動されるタービンにより電動機を駆動して回生発電を行うように制御される。
【０００４】
周知のように、過給機による過給により内燃機関の吸気量が増大し内燃機関の出力が向上するが、一方、内燃機関の動作点によっては、内燃機関が過給を必要としない場合でも、排気ガスによりタービンホイールが駆動され、コンプレッサホイールの回転により過給圧が高まることがある。しかしながら、このように高められた過給圧は、スロットルバルブにより吸気通路の流路を狭められることにより、後段のインテークマニホールド内の吸気圧力（以下、インマニ圧と称する）としては負圧となるように制御される。つまり、内燃機関が過給を必要としない場合に高められた過給圧は、不要な過給となるケースが多い。
【０００５】
そこで、従来、内燃機関の回転数とアクセル開度とにより決まる発電領域、若しくは過給圧が所定の過大過給圧設定値より大である場合は、電動過給機の電動機を発電機として動作させるようにした装置が提案されている（例えば、特許文献１参照）。
【０００６】
又、従来、電動過給機の実回転数を検知し、その実回転数が目標回転を上回る場合は、電動過給機の電動機を発電機として動作させるようにした装置が提案されている（例えば、特許文献２参照）。
【先行技術文献】
【特許文献】
【０００７】
【特許文献１】特許第３１８５４７８号公報
【特許文献２】特開２００７−３２１５７８号公報
【発明の概要】
【発明が解決しようとする課題】
【０００８】
特許文献１に開示された従来の装置は、内燃機関の回転数とアクセル開度により決まる発電領域、若しくは過給圧が所定の過大過給圧設定値より大である場合に、電動過給機の電動機を発電機として動作させるため、タービンの仕事、つまりタービンの出力のうち、コンプレッサを駆動するためのコンプレッサ仕事を用いて電動機の回生発電を行なうものであり、それ以外のタービンの仕事は電動機の回生発電に利用されないという課題がある。
【０００９】
又、特許文献２に開示された従来の装置は、電動過給機の実回転数を検知し、その実回転数が目標回転数を上回る場合に電動過給機の電動機を発電機として動作させるものであり、電動過給機の目標回転数は、最小空気流量と最小過給圧から計算されるパラメータであるため、特許文献１に開示された従来の装置の場合と同様に、タービンのコンプレッサ仕事以外の仕事が電動機の回生発電に利用されないという課題がある。
【００１０】
この発明は、従来の装置に於ける前述の課題に鑑みてなされたもので、タービンのコンプレッサ仕事のみならずその他の仕事をも電動機の回生発電に用いるようにすることで、電動過給機に於ける電動機の最適な回生発電制御を行い得る電動過給機の制御装置を提供することを目的とする。
【課題を解決するための手段】
【００１１】
この発明による伝動過給機の制御装置は、
車両に搭載された内燃機関の排気通路内に設置され前記内燃機関の排気ガスにより駆動されるタービンホイールを有するタービンと、前記タービンホイールにシャフトを介して連結されたコンプレッサホイールが前記内燃機関の吸気通路内に設置されたコンプレッサと、前記シャフトに回転子が連結された電動機とを備え、前記タービンと前記電動機とのうちの少なくとも一方により前記コンプレッサを駆動して前記吸気通路内の吸気を圧縮して前記内燃機関への過給を行うと共に、必要に応じて前記タービンホイールにより前記電動機を駆動して発電を行うようにした電動過給機の制御装置であって、
前記コンプレッサにより圧縮された吸気が前記内燃機関へ過給される過給圧を検出する過給圧検出手段と、
前記電動過給機の回転数を検出する回転数検出手段と、
前記内燃機関のインテークマニホールド内の吸気圧力を検出するインマニ圧検出手段と、
前記タービンの出力を検出するタービン出力検出手段と、
前記タービンホイールを経由しないで前記排気ガスを流通させるバイパス通路を開閉するウェストゲートの開度を検出するウェストゲート開度検出手段と、
を備え、
前記過給圧検出手段により検出された過給圧と、前記回転数検出手段により検出された前記電動過給機の回転数と、前記インマニ圧検出手段により検出されたインマニ圧と、前記タービン出力検出手段により検出されたタービン出力と、前記ウェストゲート開度検出手段により検出されたウェストゲート開度とのうち、少なくとも何れか一つに基づいて前記電動機の発電量を制御するようにしたものである。
【発明の効果】
【００１２】
この発明による伝動過給機の制御装置によれば、コンプレッサにより圧縮された吸気が内燃機関へ過給される過給圧を検出する過給圧検出手段と、電動過給機の回転数を検出する回転数検出手段と、内燃機関のインテークマニホールド内の吸気圧力を検出するインマニ圧検出手段と、タービンの出力を検出するタービン出力検出手段と、タービンホイールを経由しないで前記排気ガスを流通させるバイパス通路を開閉するウェストゲートの開度を検出するウェストゲート開度検出手段とを備え、前記過給圧検出手段により検出された過給圧と、前記回転数検出手段により検出された前記電動過給機の回転数と、前記インマニ圧検出手段により検出されたインマニ圧と、前記タービン出力検出手段により検出されたタービン出力と、前記ウェストゲート開度検出手段により検出されたウェストゲート開度とのうち、少なくとも何れか一つに基づいて前記電動機の発電量を制御するようにしたので、電動過給機に於ける電動機の最適な発電制御が可能になる。
【図面の簡単な説明】
【００１３】
【図１】この発明の実施の形態１による電動過給機の制御装置を含むシステム全体を示す構成図である。
【図２】この発明の実施の形態１による電動過給機制御装置の構成及び動作を説明するブロック図である。
【図３】この発明の実施の形態１による電動過給機の制御装置に於けるタービンの仕事の一例を示す説明図である。
【発明を実施するための形態】
【００１４】
実施の形態１．
以下、この発明の実施の形態１による電動過給機の制御装置を図に基づいて説明する。図１は、この発明の実施の形態１による電動過給機の制御装置を含むシステム全体を示す構成図である。図１に於いて、内燃機関１は、４気筒のガソリン内燃機関であり、電動過給機を用いてシリンダ内の吸気を過給することにより、高出力化と共に内燃機関の低排気量化による低燃費化を実現するものである。
【００１５】
尚、適用される内燃機関１に気筒数の制限はない。又、内燃機関１の燃焼方式についても制限はなく、シリンダ内に燃料を直接噴射する直噴内燃機関に適用されてもよいし、スロットルバルブ１１の下流側のインテークマニホールド１７に燃料を噴射するポート噴射方式の内燃機関に適用されてもよい。
【００１６】
内燃機関１のシリンダ部２には、吸気通路３と排気通路４とが接続されている。又、吸気通路３と排気通路４との間には、電動過給機５が設けられている。電動過給機５は、内燃機関１の廃棄通路４内に設置されシリンダ部２に於ける各シリンダにて発生した排気ガスにより駆動されて回転するタービンホイール６を有するタービンと、タービンホイール６にシャフト７を介して連結され、タービンホイール６と同軸線上に配置されたコンプレッサホイール８を有するコンプレッサと、シャフト７に回転子が固定され、タービンホール６及びコンプレッサホイール８と同軸線上に配置された電動機９とを備えている。コンプレッサホール８は、内燃機関１の吸気通路３ないにせちされており、タービンホイール６によりシャフト７を解して駆動され吸気通路３内の吸気を圧縮する。
【００１７】
電動過給機５は、内燃機関１のシリンダ部２で発生した排気ガス、又は電動機９の回転駆動により、吸気通路３を通ってシリンダ内に吸入される吸気を過給する。尚、電動過給機５は、内燃機関１の低回転時には電動機９の回転駆動により吸気を過給し、内燃機関１の高回転時には排気ガスにより吸気を過給することを基本とするが、内燃機関１の回転数によらず電動機９の回転駆動による過給と排気ガスエネルギーによる過給を重畳するようにしてもよい。
【００１８】
吸気通路３の下流側には、吸気を冷却するインタークーラ１０が設けられ、インタークーラ１０の下流側には、吸気通路３を流れる吸気の流量を調節するスロットルバルブ１１が設けられている。スロットルバルブ１１には、スロットルバルブ１１を開閉駆動するスロットルバルブアクチュエータ１２と実際のスロットルバルブの開度を検出するスロットルバルブセンサ１３が取り付けられている。
【００１９】
吸気通路３のスロットルバルブ１１よりも下流側は、インテークマニホールド１７を形成しており、内燃機関１のシリンダ部２の各シリンダに応じて分岐している。排気通路４の上流側は、エギゾーストマニホールド１８を形成しており、シリンダ部２の各シリンダに応じて分岐している。排気通路４には、タービンホイール６を経由しないで前記排気ガスを流通させるバイパス通路２１を開閉するウェストゲートバルブ１５と、ウェストゲートバルブ１５を開閉駆動するウェストゲートバルブアクチュエータ１４が取り付けられている。
【００２０】
ここで、内燃機関１の吸気通路３に取り込まれた吸気が排気通路４から大気へ排出されるまでの流れについて説明する。先ず、大気中から吸気通路３に取り込まれた吸気は、エアクリーナ（図示せず）によって塵埃が除去される。続いて、塵埃が除去された吸気は電動過給機５のコンプレッサホイール８の回転により圧縮される。
【００２１】
次に、圧縮された吸気は、圧力上昇によって温度が上昇し膨張するため、内燃機関１の吸気充填効率を向上させるためにインタークーラ１０により冷却される。続いて、冷却された吸気は、スロットルバルブアクチュエータ１２により駆動されるスロットルバルブ１１の開度に応じて流量が調節され、ポート噴射内燃機関の場合は燃料が混合されて、シリンダ部２の各シリンダ内に吸入される。
【００２２】
次に、シリンダ内に吸入された混合気は点火装置（図示せず）により着火され、シリンダ内のピストン（図示せず）が押し下げられる。続いて、クランク軸（図示せず）によりピストンの上下運動が回転運動に変換され、車両を推進させる動力として利用される。
【００２３】
又、クランク軸はベルト２４を介して発電機２３に連結されており、発電機２３はベルト２４を介して内燃機関１の動力を受けて駆動され発電を行う。発電機２３で発電された電力は、バッテリー２２に充電され、電動過給機５や他の車載機器（図示せず）等の電力が必要なデバイスに対して電力供給を行う。
【００２４】
シリンダ内での燃焼によって発生した排気ガスは、エギゾーストマニホールド１８を介して排出される。続いて、シリンダ内から排出された排気ガスは、ウェストゲートバルブ１５が閉じている場合は、電動過給機５のタービンホイール６を通り、タービンホイール６を回転させる。排気ガスは、ウェストゲートバルブ１５が開いている場合は、バイパス通路２１に導かれる。タービンホイール６を回転させた排気ガスとバイパス２１を流れた排気ガスは合流し、排気ガス浄化触媒等が一体化されたマフラー（図示せず）により浄化され、排気通路４から大気中に排出される。タービンの出力は、タービンホイール６に流れる排気ガスの量をウェストゲートバルブ１５の開度を制御することにより制御可能である。
【００２５】
尚、内燃機関１が過給を不要としており、且つ、ある程度排気ガスが流れてタービンホイール６が回転する場合は、電動機９によるアシストのみならず、排気ガスによるタービンホイール６の駆動エネルギーを用いて電動機９により回生発電するようにしてもよい。回生発電された電力は、バッテリ２２を充電する。
【００２６】
車両制御装置２０には、スロットルバルブアクチュエータ１２、スロットルポジションセンサ１３、過給圧センサ１６、ウェストゲートバルブアクチュエータ１４、バッテリ２２、発電機２３、エアーフローセンサ２５、吸気温センサ２６、過給温センサ２７、インマニ圧センサ２８、ウェストゲートバルブセンサ２９が接続されている。
【００２７】
車両制御装置２０は、バッテリ２２からその充電状態と車両に於ける電力消費量を取得し、発電機２３から発電量を取得し、過給圧センサ１６から過給圧を取得し、エアーフローセンサ２５から吸気流量を取得し、吸気温センサ２６から吸気温度を取得し、過給温センサ２７から過給温度を取得し、インマニ圧センサ２８からインマニ圧を取得し、スロットルポジションセンサ１３からスロットルバルブ開度を取得する。そして、車両制御装置２０は、スロットルバルブアクチュエータ１２にスロットルバルブ１１の開度を制御する指令を出力すると共に、ウェストゲートバルブアクチュエータ１４にウェストゲートバルブ１５の開度を制御する指令を出力する。
【００２８】
電動過給機制御装置１９には電動過給機５の電動機９の端子が接続され、電動機９の動作状態を示す信号、例えば固定子巻線の電圧若しくは電流等の電気量から電動機９の回転数、即ち電動過給機５の回転数を取得する回転数検出手段を備える。又、電動過給機制御装置１９には車両制御装置２０が接続され、車両制御装置２０から吸気流量と車両の消費電力と過給圧とインマニ圧とスロットルバルブ開度を取得する。前述の回転数検出手段は
電動機９の回転速度を検出するともいえるが、回転数と回転速度とは比例関係にあり、以下の説明では、回転数と回転速度を総称して回転数と称する。
【００２９】
次に、電動過給機制御装置１９について説明する。図２は、この発明の実施の形態１による電動過給機の制御装置に於ける電動過給機制御装置の構成及び動作を説明するブロック図である。図２に示す電動過給機制御装置１９のルーチンは、電動機９の通電状態に於いてのみ実施され、電動機９の通電状態に於いて、所定の短時間毎に繰り返し実行される。
【００３０】
図２に於いて、コンプレッサ仕事算出手段３２は、エアーフローセンサ２５から得られる空気流量Gと、吸気温センサ２６と過給温センサ２７から得られる吸気温度と過給温度との差分であるΔTと、空気の定圧比熱定数Cpとに基づき、コンプレッサ仕事Pcompressorを次式（１）により算出する。この算出されるコンプレッサ仕事Pcompressorは、つまりタービンの出力に相当し、コンプレッサ仕事算出手段３２はこの発明に於けるタービン出力検出手段に相当する。
Pcompressor＝G×Cp×ΔT                                    （１）
【００３１】
慣性仕事算出手段３３は、タービンホイール６とシャフト７とコンプレッサホイール８と電動機9とからなる電動過給機５の回転部の慣性（イナーシャ）Jと、電動機９の回転数ｎと、電動機の回転加速度ωとに基づき、慣性仕事Pinertiaを次式（２）により算出する。
Pinertia＝J×ｎ×ω                                          （２）
【００３２】
摩擦仕事算出手段３４は、シャフト７に発生する摩擦力であって回転数ｎによらず一定である一定成分Mfrict_constと、回転数ｎによって変化する変化成分Mfric_damp（ｎ）と、電動機９の回転数ｎに基づき、摩擦仕事Pfrictを次式（３）により算出する。
Pfrict＝（Mfrict_const＋Mfric_damp (ｎ)）×ｎ                  （３）
【００３３】
ここで、スロットル開度とタービンの仕事との関係について説明する。図３は、この発明の実施の形態１による電動過給機の制御装置に於けるタービンの仕事の一例を示す説明図である。図３に於いて、縦軸はタービンの仕事（W）、横軸は時間（t）を示す。図３に示すように、スロットルが開かれることによりタービン仕事が増大し、タービン仕事は、過給に使われるコンプレッサ仕事と、ターボチャージャを加速回転させる慣性仕事と、シャフトに発生する摩擦仕事とに使われる。これらをすべての仕事を合算することでタービン仕事、つまりタービン出力を算出することができる。
【００３４】
図２に於いて、仕事加算手段３９は、コンプレッサ仕事算出手段３２と慣性仕事算出手段３３と摩擦仕事算出手段３４により夫々算出した前述の各仕事を加算してタービン仕事を得る。
【００３５】
不感帯手段４０は、一定量以上の仕事がない場合は発電を行なわない制御とするための不感帯を設定する。不感帯の幅は、タービンホイール６及びコンプレッサホイール８が吸気抵抗とならずに最低限回転するために必要な仕事量に対応した幅であり、電動過給機５の回転数に応じて変化する。例えば、電動過給機５の回転数が上昇すればするほど、タービンホイール６の回転に使われる仕事は大きくなるため、不感帯の幅も大きくなる。不感帯ブロック４０には、仕事加算手段３９からのタービン仕事が入力される。
【００３６】
過給圧検出手段３０は、過給圧センサ１６の出力に基づいて過給圧の検出を行なう。インマニ圧検出手段３１は、インマニ圧センサ２８の出力に基づいてインマニ圧の検出を行なう。減算手段３６は、過給圧検出手段３０からの過給圧から、インマニ圧検出手段３１からのインマニ圧を減算し、過給圧とインマニ圧の差圧を算出する。過給圧とインマニ圧の差が大きいほど、過給圧を下げる事が可能になる。そこで、後述するように電動機９による回生発電を大きくするために、減算手段３６により過給圧とインマニ圧の差圧を求める。
【００３７】
ゲイン手段３７は、減算手段３６から入力される過給圧とインマニ圧の差圧にゲインを乗算する。第１の閾値手段３８は、ゲイン手段３７のゲインを制限するために設けられており、ゲイン手段３７からの入力が所定の絶対値以上のときに所定値に制限する。ウェストゲート開度検出手段３５は、ウェストゲートバルブセンサ２９の出力に基づいてウェストゲート開度の検出を行なう。
【００３８】
演算手段４１は、不感帯手段４０を通過したタービン仕事と、第１の閾値手段３８からの過給圧とインマニ圧の差圧との乗算を行い、且つウェストゲート開度検出手段３５からのウェストゲート開度による除算を行なう。この演算により、タービン仕事から回生発電制御が可能な回生量が算出される。
【００３９】
第２の閾値手段４２は、回生発電制御が可能な回生量に制限を設けるために設けられており、その制限値はバッテリ２２への充電可能電力や電動過給機制御装置１９等の発熱量を考慮されて設定さられている。演算手段４１の算出値がこの第２の閾値手段４２を通過したのち、その通過した値に基づいて発電制御量４３が求められる。この発電制御量４３は、電動機９に発電制御指令値として与えられる。
【００４０】
以上のように構成されたこの発明の実施の形態１による電動過給機の制御装置に於いて、電動過給機５の電動機９は、電動過給機５のコンプレッサ仕事と慣性仕事と摩擦仕事とを合計した仕事であるタービン仕事即ちタービン出力と、インマニ圧と過給圧との差圧、及びウェストゲート開度と、電動過給機の回転数とのうちの少なくとも一つに応じた回生発電量となるように、電動過給機制御装置１９からの発電制御指令値４３に基づいて制御される。その結果、排気ガスエネルギーを効果的に回生して電力を発生する事が可能になる。
【００４１】
実施の形態２．
前述の実施の形態１では、電動過給機５のタービン仕事のみに着目して回生発電を行なうようにしたが、実施の形態２による電動過給機の制御装置は、実施の形態１の構成に加えて、バッテリー２２の充電状態を検出するバッテリー充電状態検出手段と、車両の消費電力を検出する消費電力検出手段とを設け、バッテリー充電状態検出手段により検出したバッテリーの充電状態と消費電力検出手段により検出した車両の消費電力とのうちの少なくとも一方に基づいて、電動過給機５の電動機９による回生発電量を変更し得るように構成したものである。その他の構成及び動作は、実施の形態１の場合と同様である。
【００４２】
実施の形態２による電動過給機の制御装置によれば、実施の形態１による電動機９の回生発電制御に加えて、バッテリー２２の充電状態、或いは車両の消費電力に応じて回生発電を行なうことで、バッテリー２２の充電量が少ない場合や電気負荷が高い場合に、より効率的な発電が可能になる。
【００４３】
実施の形態３．
実施の形態３による電動過給機の制御装置は、実施の形態１による電動過給機の制御装置、又は実施の形態２による電動過給機の制御装置の構成に加えて、内燃機関２の動力を用いて発電機２３により発電させた場合に必要な内燃機関１の出力と電動過給機５の回生発電によって減ぜられる内燃機関１の出力とを比較する内燃機関出力比較手段を設け、この内燃機関出力比較手段による前述の内燃機関１の出力の比較の結果、電動過給機５による回生発電の方が効率がよいと判断される場合には、電動過給機５による回生発電を積極的に行うように構成したものである。つまり、この実施の形態３による電動過給機の制御装置は、電動過給機の電動機の発電量の制御を、電動過給機の電動機以外の他の発電手段である発電機２３の出力状態に応じて行うことを特徴としている。
【００４４】
その他の構成及び動作は、実施の形態１又は実施の形態２の場合と同様である。
【００４５】
実施の形態３による電動過給機の制御装置によれば、従来は排気ガスとして放出していた排気エネルギーを用いて電動過給機による最適な発電を行うことができ、内燃機関の出力を用いて動作する既存の発電機による発電を抑え、車両の燃費性能を向上させることが可能になる。
【００４６】
実施の形態４．
実施の形態４による電動過給機の制御装置は、前述の実施の形態１乃至３のうち何れかの電動過給機の制御装置の構成に、電動過給機５の後段或いは前段に機械式過給機を更に備えた、所謂、ツインチャージャーの構成を備えるものである。その他の構成及び動作は、前述の実施の形態１乃至３のうち何れかの電動過給機の制御装置と同様である。
【００４７】
実施の形態４による電動過給機の制御装置によれば、更に効率的な電動過給機の制御を行なうことができる。
【００４８】
実施の形態５．
前述の実施の形態１乃至実施の形態４では、電動過給機制御装置１９と車両制御装置２０とを別々に構成したが、実施の形態５による電動過給機の制御装置は、車両制御装置２０に前述の実施の形態１乃至実施の形態４のうち何れかの実施の形態に於ける電動過給機の制御機能を集約し、電動過給機制御装置１９を電動機９を駆動する単純なドライバとして機能させるようにしたものである。この場合も、上記実施の形態１乃至４と同様の効果を得ることができる。その他の構成及び動作は、前述の実施の形態１乃至４のうち何れかの電動過給機の制御装置と同様である。
【００４９】
尚、この発明は、これらの実施の形態に限られるものではなく、この発明の精神の範囲内に於いて、その他の種々の実施の形態をとり得ることが可能である。
【符号の説明】
【００５０】
１      内燃機関                          ２      燃機関
３      吸気通路                          ４      排気通路
５      電動過給機                        ６      タービンホイール
７      シャフト                          ８      コンプレッサホイール
９      電動機                            １０    インタークーラ
１１    スロットルバルブ                  １２    スロットルバルブアクチュエータ
１３    スロットルポジションセンサ        
１４    ウェストゲートバルブアクチュエータ
１５    ウェストゲートバルブ              １６    過給圧センサ
１７    インテークマニホールド            １８    エギゾーストマニホールド
１９    電動過給機制御装置                ２０    車両制御装置
２１    バイパス通路                      ２２    バッテリ
２３    発電機                            ２４    ベルト
２５    エアーフローセンサ                ２６    吸気温センサ
２７    過給温センサ                      ２８    インマニ圧センサ
２９    ウェストゲートバルブセンサ
【図２】
2011080398.tif 000003
【図３】
2011080398.tif 000004
【図１】
2011080398.tif 000005